(57)【要約】【課題】ブリスターパックの蓋体及び筐体の組立構造を提供する。【解決手段】ブリスターパックの蓋体及び筐体の組立構造は、筐体１及び蓋体２を備える。筐体１は、凹んだ収容空間１１を有し、頂面開口の周縁にリップ部１２が設けられる。リップ部１２の一端には屈曲係合部１３２が設けられる。蓋体２は、筐体１を蓋するとともに、頂面周囲から下向きに延びた側壁面２５により収容空間２１が形成される。側壁面２５には、タブ１３の屈曲係合部１３２が嵌入可能なＵ字状係合槽２３が形成されている。タブ１３の屈曲係合部１３２の端部には、タブ延伸面１３１が設けられている。屈曲係合部１３２の背面には、押圧部１３３が凹設されている。筐体１のタブ１３とリップ部１２との接続箇所には、曲がり易いタブ折り曲げ部１３４が設けられている。【選択図】図１
0003223002.tif 000002
【実用新案登録請求の範囲】
【請求項１】
筐体及び蓋体を備えたブリスターパックの蓋体及び筐体の組立構造であって、
前記筐体は、凹んだ収容空間を有し、頂面開口の周縁にタブが設けられ、前記タブの一端には屈曲係合部が設けられ、
前記蓋体は、前記筐体を蓋するとともに、頂面周囲から下向きに延びた側壁面により収容空間が形成され、前記側壁面には、タブの屈曲係合部が嵌入可能なＵ字状係合槽が形成されていることを特徴とする、ブリスターパックの蓋体及び筐体の組立構造。
【請求項２】
前記筐体の頂面の開口周囲には、外方に僅かに突出したリップ部が設けられ、  前記蓋体の底面開口の周縁には、外方に僅かに突出した前記リップ部が設けられていることを特徴とする、請求項１に記載のブリスターパックの蓋体及び筐体の組立構造。
【請求項３】
前記タブの前記屈曲係合部の端部には、タブ延伸面が設けられていることを特徴とする、請求項１に記載のブリスターパックの蓋体及び筐体の組立構造。
【請求項４】
前記屈曲係合部の背面には、押圧部が凹設されていることを特徴とする、請求項１に記載のブリスターパックの蓋体及び筐体の組立構造。
【請求項５】
前記筐体の前記タブとリップ部との接続箇所には、曲がり易いタブ折り曲げ部が設けられていることを特徴とする、請求項１に記載のブリスターパックの蓋体及び筐体の組立構造。
【請求項６】
前記Ｕ字状係合槽の両側には、受力補強部が垂直に突出し、
前記受力補強部の間の内底面には、滑り止め面が形成されていることを特徴とする、請求項１に記載のブリスターパックの蓋体及び筐体の組立構造。
【請求項７】
前記屈曲係合部の形状は中空円柱形状、楕円形状、規則曲線形状又は不規則曲線形状であることを特徴とする、請求項１に記載のブリスターパックの蓋体及び筐体の組立構造。
【請求項８】
前記筐体及び前記蓋体は、円形、多角形などの任意の幾何学的造形により形成されることを特徴とする、請求項１に記載のブリスターパックの蓋体及び筐体の組立構造。
【考案の詳細な説明】
【技術分野】
【０００１】
本考案は、筐体と蓋体とが結合されて構成されたブリスターパックに関し、特に、ブリスターパックの蓋体及び筐体の組立構造に関する。
【背景技術】
【０００２】
従来のプラスチック製ケースは、プラスチック射出成形又は真空成形により製作されることが多い。プラスチック射出成型の製法では、粒状プラスチック材料を漏斗から加熱シリンダに投入し、水冷銅鋳型に溶けたプラスチックを液圧で押圧し、冷却凝固して製品を完成させていた。プラスチック材料が金型内に押し入れられて形状が形成されるため、必要なプラスチック材料が一般材料より多く、環境保護の観点から好ましくなかった。
【０００３】
プラスチック片材を成形する製法（真空成形又はインフレーション成形とも称する）は、平らなプラスチック硬片材を加熱して柔らかくした後、真空吸引により金型表面に貼り付け、冷却成形してから離型した後、プレス成形して切断し、所望の製品を得ていた。製作過程で材料が垂れ下がって延びて蓋体及び筐体の垂直方向の材料が薄くなるため、変形し易く、両者の蓋を閉じた後の堅牢性及び安定性が不足する上、繰り返して使用することができず、１回使用するだけで廃棄されていたため、プラスチックの廃棄物が多く発生した。
【０００４】
従来のブリスターパックの組立構造の多くは、蓋体の周縁に対応したフック部が設けられ、筐体の周縁にはＵ字状凸縁が突設されている。このような組み合わせ構造には２つの状況が発生することがあった。その状況の一つとは、強固に締め付けることができずに緩んでしまうことであり、もう一つの状況とは、強く締め付けすぎて取り外すことが困難となることであった。一つ目の組立状況については、蓋体のフックが筐体の凸縁にしか係合されていないため、ホールド力が不足し、全体が外力を受けて押圧されて変形すると外れてしまうことがあった。次に、蓋体のフック部は、蓋体が重いため、手で適切に把持しない場合、外れてしまうことがあった。二つ目の組立状況については、実際にはフックと凸縁、フック凸柱及び凹溝などの構造に応用し、一般にフックが深く挿入されすぎるか凸縁が大きく突出されすぎるか、フック凸柱の寸法が凹溝の寸法より明らかに大きすぎる場合、この組み合わせ構造を組み合わせる際、抵抗力により困難となり、組立が完成した後、筐体又は蓋体が変形してしまう虞があった。特に、手間をかけて組立を完成させた後、筐体と蓋体とを分離させることは容易でなかった。
【０００５】
他の従来のブリスターパックの組立構造は、凹溝及び凸係合部の雌雄係止方式により構成されている。上述した組立構造は、同じ形状の面と面との接触に属し、寸法の差異により押し入れる組立方式は、その抵抗力が大きく、組立又は分離が容易でなかった。また、凹溝及び凸係合の組立構造は、力を加えて押圧しなければ組立をスムーズに行うことはできず、押圧補強の関連構造が設置されていない場合、実際に使用する際、力を加えて押圧すると、ブリスターパックの組立構造又はブリスターパックの筐体が変形し、組立が困難となることがあった。従来技術では、離型を考慮し、閉止式の凸係合式のみしか採用されておらず、係合部をブリスターパックの側壁面に設置する技術を飛躍的に向上させることはできなかった。従来の問題点を解決することができない組立構造は、一般に製作過程で離型を行うと変形したり、組立及び分離を容易に行えなかったり、組立構造に力を加えて組み立てるか強引に分離させると、ブリスターパックの組立構造が変形したりするなどの問題点があり、改良が求められていた。
【０００６】
こうした現状に鑑み、本考案者は、ブリスターパックの組立構造に長年携わった経験に基づき、ブリスターパックの蓋体及び筐体の組立構造に対し、鋭意研究を重ね、改良と試作を行った結果、本考案を完成したものである。
【考案の概要】
【考案が解決しようとする課題】
【０００７】
本考案の主な目的は、組立構造をブリスターパックの側壁面に設置し、この特性の組立構造により、筐体と蓋体との構造強度を高めることができる上、力が加えられて変形しても、結合品質を確保し、筐体又は蓋体が変形して係合が外れたり係合することができなくなったりするなどの問題を改善する、ブリスターパックの蓋体及び筐体の組立構造を提供することにある。
【課題を解決するための手段】
【０００８】
上記課題を解決するために、本考案の第１の形態によれば、筐体及び蓋体を備えたブリスターパックの蓋体及び筐体の組立構造であって、前記筐体は、凹んだ収容空間を有し、頂面開口の周縁にタブが設けられ、前記タブの一端には屈曲係合部が設けられ、前記蓋体は、前記筐体を蓋するとともに、頂面周囲から下向きに延びた側壁面により収容空間が形成され、前記側壁面には、タブの屈曲係合部が嵌入可能なＵ字状係合槽が形成されていることを特徴とする、ブリスターパックの蓋体及び筐体の組立構造が提供される。
【０００９】
前記筐体の頂面の開口周囲には、外方に僅かに突出した前記リップ部が設けられ、前記蓋体の底面開口の周縁には、外方に僅かに突出した前記リップ部が設けられていることが好ましい。
【００１０】
前記タブの前記屈曲係合部の端部には、タブ延伸面が設けられていることが好ましい。
【００１１】
前記屈曲係合部の背面には、押圧部が凹設されていることが好ましい。
【００１２】
前記筐体の前記タブと前記リップ部との接続箇所には、曲がり易いタブ折り曲げ部が設けられていることが好ましい。
【００１３】
前記Ｕ字状係合槽の両側には、受力補強部が垂直に突出し、前記受力補強部の間の内底面には、滑り止め面が形成されていることが好ましい。
【００１４】
前記屈曲係合部の形状は中空円柱形状、楕円形状、規則曲線形状又は不規則曲線形状であることが好ましい。
【００１５】
前記筐体及び前記蓋体は、円形、多角形などの任意の幾何学的造形により形成されることが好ましい。
【考案の効果】
【００１６】
本考案のブリスターパックの蓋体及び筐体の組立構造は、プラスチック片材により成形され、プラスチック片材を軟化した後に金型表面に吸着され、最初の接触面が材料により貼りつくため、成形後に最初の接触面の材料が最も厚くなるか、金型表面の折り曲げ面が厚くなり、上から下方向に向かうに従って薄く成形されるため、従来のブリスターパックの構造強度が十分でないなどの欠点を改善する。
【図面の簡単な説明】
【００１７】
【図１】図１は、本考案の一実施形態に係るブリスターパックの構造を示す分解斜視図。
【図２】図２は、本考案の一実施形態に係るブリスターパックの蓋体の製作方式の説明図。
【図３】図３は、本考案の一実施形態に係るブリスターパックの筐体の製作方式の説明図。
【図４】図４は、本考案の一実施形態に係るブリスターパックの組立構造を示す部分断面図。
【図５】図５は、本考案の一実施形態に係るブリスターパックの組立動作を示す説明図。
【図６】図６は、本考案の一実施形態に係るブリスターパックの組立構造を示す断面図。
【図７】図７は、本考案の一実施形態に係るブリスターパックの組立構造を示す断面図。
【図８】図８は、本考案の一実施形態に係るブリスターパックの積層状態と、各種屈曲係合部と、を示す模式図。
【図９】図９は、本考案の一実施形態に係るブリスターパックの筐体及び蓋体を示す分解斜視図。
【図１０】図１０は、本考案の一実施形態に係るブリスターパックの構造形態（１）を示す斜視図。
【図１１】図１１は、本考案の一実施形態に係るブリスターパックの構造形態（２）を示す斜視図。
【図１２】図１２は、本考案の一実施形態に係るブリスターパックの構造形態（３）を示す斜視図。
【図１３】図１３は、本考案の一実施形態に係るブリスターパックの使用状態の説明図（１）。
【図１４】図１４は、本考案の一実施形態に係るブリスターパックの使用状態の説明図（２）。
【考案を実施するための形態】
【００１８】
図１を参照する。図１に示すように、本考案の一実施形態に係るブリスターパックの構造は、少なくとも筐体１及び蓋体２から構成されてなる。
【００１９】
筐体１は、凹んだ収容空間１１と、リップ部１２と、タブ１３と、を有する。収容空間１１は、物品を収容及び受けるために用いる。リップ部１２は、筐体１の頂面開口の周縁に成形され、断面がＵ字状の折り返し形状に形成されて構造の硬度が向上されている。タブ１３は、少なくとも１対以上で相対位置に設けられ、リップ部１２から外方に延びている。タブ１３の末端には、タブ延伸面１３１が設けられている。タブ延伸面１３１は、一方の表面の中央部に、屈曲係合部１３２が突設され、他方の表面には窪んだ押圧部１３３が形成されている。タブ１３とリップ部１２との接続箇所は、プラスチック片材が上から下方へかけて薄く成形されており、曲げ易いタブ折り曲げ部１３４が形成されている。蓋体２は、収容空間２１、リップ部２２及びＵ字状係合槽２３を含む。収容空間２１は、筐体頂面２４の周囲から下向きに延びた側壁面２５により形成される。リップ部２２は、蓋体２の底面開口の周縁に成形されるとともに、筐体１のリップ部１２に合致して覆うことができる。Ｕ字状係合槽２３は、少なくとも１対以上であり、相対位置に形成されて蓋体２の周囲の側壁面２０２に成形される。Ｕ字状係合槽２３は、上方に開口が形成され、２つの側壁面が垂直面に形成され、両側に垂直に受力補強部２３１が突設され、受力補強部２３１の間の内底面には、滑り止め面２３２が形成されている。
【００２０】
図２のＡ及びＢ並びに図３のＡ及びＢを参照する。図２のＡ及びＢ並びに図３のＡ及びＢに示すように、本実施形態のブリスターパックの製作方式では、蓋体２及び筐体１がプラスチック片材３により、合体金型４を利用して一体成形される。
【００２１】
図４を参照する。図４は、プラスチック片材の成形製法により形成された本考案の筐体１と蓋体２とを組合せたときの部分断面図である。蓋体２は、筐体頂面２４及び側壁面２５を含む。筐体頂面２４は、プラスチック片材の最初の接触面が延びて接続した周囲の側壁面２０２により構成されたＵ字状係合槽２３を有し、筐体１の収容空間を増大させる。ここで最も重要なことは蓋体２の硬度を高めて積層したときに重量によって変形することを防ぐことであり、側壁面２５を延ばして折り曲げて形成したリップ部２２が完全に対応し、筐体１のリップ部１２を覆い、２層の組み合わせにより硬度を高め、押圧されたときに変形することを防ぐ。筐体１は、筐体１を押圧成形して離型した後、プレス成形方式によりタブ１３が成形される特色を有する。タブ１３は、タブ折り曲げ部１３４を介してリップ部１２に接続され、折り曲げ可能である。屈曲係合部１３２の凸頂面１３５は、最初の接触面が延びて折り曲げ面に形成されて強度が強いため、Ｕ字状係合槽２３内に容易に押し入れることができる上、変形し難い。
【００２２】
図５を参照する。図５は、本考案の一実施形態に係るブリスターパックの組立動作を示す説明図である。図５に示すように、ブリスターパックを実際に組み立てる際、タブ１３は、タブ折り曲げ部１３４によりＵ字状係合槽２３に屈曲係合部１３２を嵌入させることが容易である。押圧部１３３は、指で力を加えて押圧することができ、反対に、ブリスターパックを分離するときは、タブ延伸面１３１を外す力受容部として用いることができるため、Ｕ字状係合槽２３から屈曲係合部１３２を容易に外すことができる。
【００２３】
図６のＡ及びＢ並びに図７を参照する。図６のＡ及びＢ並びに図７は、本考案の一実施形態に係るブリスターパックの組立構造を示す断面図である。実際には、屈曲係合部１３２の直径寸法Ｄ１がＵ字状係合槽２３の２つの対向した受力補強部２３１間の窪み寸法Ｄ２より略大きく、Ｕ字状係合槽２３に屈曲係合部１３２を係入すると、屈曲係合部１３２の２つの押込み点Ｔが係合され、滑り止め面２３２に強固に押し当てられて滑ることを防ぐ。
【００２４】
Ｕ字状係合槽２３は、屈曲係合部１３２の係合空間を提供する。この係合空間とは、突出した形態の受力補強部２３１と下方に接続された滑り止め面２３２とにより構成された凹部溝である。特に、Ｕ字状係合槽２３の上方には開口が形成され、２つの側壁面２５は垂直面に形成され、製造する際、投入及び離型により容易に成形することができ、垂直設計で成形した後の離型により変形してしまうことを防ぐ（もし離型が変形してしまった場合、屈曲係合部を押し入れて係合することが困難となる）。下方の滑り止め面２３２は、ブリスターパックが上下にひっくり返ったり揺らされたりしても、屈曲係合部１３２が滑り出たり外れたりすることを防ぐことができる。両側の受力補強部２３１は、２つの凸状形態に形成され、圧縮成形する際、折り曲げ面が多いため、硬度が高く、支持力が十分あり、屈曲係合部１３２を押圧係止させることができる。
【００２５】
図８を参照する。図８は、本考案の一実施形態に係るブリスターパックの積層状態と、各種屈曲係合部と、を示す模式図である。図８に示すように、屈曲係合部１３２の形状は中空円柱形状、楕円形状、規則曲線形状又は不規則曲線形状でもよい。
【００２６】
図９を参照する。図９に示すように、本考案の一実施形態に係るブリスターパックは、筐体１と蓋体２との組み合わせにより構成される。筐体１は、窪んだ収容空間１１を有する。蓋体２は、隆起した収容空間２１を有する。そのため、ブリスターパック全体の容量を大きくすることができる。
【００２７】
図１０〜図１２を参照する。図１０〜図１２は、本考案のブリスターパックの様々な実施形態を示す斜視図である。図１０は、他の形状の屈曲係合部１３２及びＵ字状係合槽２３を示す。図１１は、ブリスターパックの周面に形成された多数対の組立構造を示し、蓋体２の構造強度及び支持力を高めて筐体１と蓋体２とをより強固に組み立てることができる。図１２は、幾何学的造形からなる筐体１と、それに対応した蓋体２とを示す。筐体１上には、少なくとも１対以上のタブ１３、屈曲係合部１３２が設けられている。蓋体２の周縁には、両者を速やか且つ確実に結合することができるように、少なくとも１対以上のＵ字状係合槽２３が形成されている。
【００２８】
図１３のＡ、Ｂ及びＣを参照する。図１３のＡ、Ｂ及びＣに示すように、本実施形態のブリスターパックを実際に使用する際、蓋体２を開き、一つの組立構造だけを使用し、対応したＵ字状係合槽２３からタブ１３の屈曲係合部１３２を外し、蓋体２をタブ１３のタブ折り曲げ部１３４を介して連結させ、９０度又は１８０度回転させてブリスターパックを開いた状態にすると、内容物を取出すことができ、同時に２対の組立構造を全部分離させなくてもよいため、非常に便利である。
【００２９】
最後に図１４のＡを参照する。図１４のＡに示すように、筐体１のリップ部１２と蓋体２のリップ部２２とを重ねると、本実施形態の組立構造を組合せて強固に結合されるため、ブリスターパックがひっくり返っても中に収容された食材などの液体物が漏れ出ることを防ぐことができる。また、図１４のＢに示すように、本実施形態のブリスターパックを実際に使用する際、ブリスターパックがひっくり返って、筐体１及び蓋体２の上下が逆さまになり、筐体１が蓋体２となり、蓋体２が筐体１となっても強固に結合される。
【００３０】
当該分野の技術を熟知するものが理解できるように、本考案の好適な実施形態を前述の通り開示したが、これらは決して本考案を限定するものではない。本考案の主旨と領域を逸脱しない範囲内で各機種の変更や修正を加えることができる。従って、本考案の実用新案登録請求の範囲は、このような変更や修正を含めて広く解釈されるべきである。
【符号の説明】
【００３１】
１  筐体
２  蓋体
３  プラスチック片材
４  合体金型
１１  収容空間
１２  リップ部
１３  タブ
２１  収容空間
２２  リップ部
２３  Ｕ字状係合槽
２４  筐体頂面
２５  側壁面
１３１  タブ延伸面
１３２  屈曲係合部
１３３  押圧部
１３４  タブ折り曲げ部
１３５  凸頂面
２０２  側壁面
２３１  受力補強部
２３２  滑り止め面
Ｄ１  直径寸法
Ｄ２  窪み寸法
Ｔ  押込み点
【図１】
0003223002.tif 000003
【図２】
0003223002.tif 000004
【図３】
0003223002.tif 000005
【図４】
0003223002.tif 000006
【図５】
0003223002.tif 000007
【図６】
0003223002.tif 000008
【図７】
0003223002.tif 000009
【図８】
0003223002.tif 000010
【図９】
0003223002.tif 000011
【図１０】
0003223002.tif 000012
【図１１】
0003223002.tif 000013
【図１２】
0003223002.tif 000014
【図１３】
0003223002.tif 000015
【図１４】
0003223002.tif 000016
【手続補正書】
【提出日】令和1年7月16日(2019.7.16)
【手続補正１】
【補正対象書類名】実用新案登録請求の範囲
【補正対象項目名】全文
【補正方法】変更
【補正の内容】
【実用新案登録請求の範囲】
【請求項１】
筐体及び蓋体を備えたブリスターパックの蓋体及び筐体の組立構造であって、
前記筐体は、凹んだ収容空間を有し、頂面開口の周縁にタブが設けられ、前記タブの一端には屈曲係合部が設けられ、
前記蓋体は、前記筐体を蓋するとともに、頂面周囲から下向きに延びた側壁面により収容空間が形成され、前記側壁面には、タブの屈曲係合部が嵌入可能なＵ字状係合槽が形成されていることを特徴とする、ブリスターパックの蓋体及び筐体の組立構造。
【請求項２】
前記筐体の頂面の開口周囲には、外方に僅かに突出した第１のリップ部が設けられ、
前記蓋体の底面開口の周縁には、外方に僅かに突出した第２のリップ部が設けられていることを特徴とする、請求項１に記載のブリスターパックの蓋体及び筐体の組立構造。
【請求項３】
前記タブの前記屈曲係合部の端部には、タブ延伸面が設けられていることを特徴とする、請求項１に記載のブリスターパックの蓋体及び筐体の組立構造。
【請求項４】
前記屈曲係合部の背面には、押圧部が凹設されていることを特徴とする、請求項１に記載のブリスターパックの蓋体及び筐体の組立構造。
【請求項５】
前記筐体の前記タブと前記第１のリップ部との接続箇所には、曲がり易いタブ折り曲げ部が設けられていることを特徴とする、請求項２に記載のブリスターパックの蓋体及び筐体の組立構造。
【請求項６】
前記Ｕ字状係合槽の両側には、受力補強部が垂直に突出し、
前記受力補強部の間の内底面には、滑り止め面が形成されていることを特徴とする、請求項１に記載のブリスターパックの蓋体及び筐体の組立構造。
【請求項７】
前記屈曲係合部の形状は中空円柱形状、楕円形状、規則曲線形状又は不規則曲線形状であることを特徴とする、請求項１に記載のブリスターパックの蓋体及び筐体の組立構造。
【請求項８】
前記筐体及び前記蓋体は、円形、多角形などの任意の幾何学的造形により形成されることを特徴とする、請求項１に記載のブリスターパックの蓋体及び筐体の組立構造。
【手続補正２】
【補正対象書類名】明細書
【補正対象項目名】０００９
【補正方法】変更
【補正の内容】
【０００９】
前記筐体の頂面の開口周囲には、外方に僅かに突出した第１のリップ部が設けられ、前記蓋体の底面開口の周縁には、外方に僅かに突出した第２のリップ部が設けられていることが好ましい。
【手続補正３】
【補正対象書類名】明細書
【補正対象項目名】００１２
【補正方法】変更
【補正の内容】
【００１２】
前記筐体の前記タブと前記第１のリップ部との接続箇所には、曲がり易いタブ折り曲げ部が設けられていることが好ましい。
【手続補正４】
【補正対象書類名】明細書
【補正対象項目名】００１９
【補正方法】変更
【補正の内容】
【００１９】
筐体１は、凹んだ収容空間１１と、第１のリップ部１２と、タブ１３と、を有する。収容空間１１は、物品を収容及び受けるために用いる。第１のリップ部１２は、筐体１の頂面開口の周縁に成形され、断面がＵ字状の折り返し形状に形成されて構造の硬度が向上されている。タブ１３は、少なくとも１対以上で相対位置に設けられ、第１のリップ部１２から外方に延びている。タブ１３の末端には、タブ延伸面１３１が設けられている。タブ延伸面１３１は、一方の表面の中央部に、屈曲係合部１３２が突設され、他方の表面には窪んだ押圧部１３３が形成されている。タブ１３と第１のリップ部１２との接続箇所は、プラスチック片材が上から下方へかけて薄く成形されており、曲げ易いタブ折り曲げ部１３４が形成されている。蓋体２は、収容空間２１、第２のリップ部２２及びＵ字状係合槽２３を含む。収容空間２１は、筐体頂面２４の周囲から下向きに延びた側壁面２５により形成される。第２のリップ部２２は、蓋体２の底面開口の周縁に成形されるとともに、筐体１の第１のリップ部１２に合致して覆うことができる。Ｕ字状係合槽２３は、少なくとも１対以上であり、相対位置に形成されて蓋体２の周囲の側壁面２０２に成形される。Ｕ字状係合槽２３は、上方に開口が形成され、２つの側壁面が垂直面に形成され、両側に垂直に受力補強部２３１が突設され、受力補強部２３１の間の内底面には、滑り止め面２３２が形成されている。
【手続補正５】
【補正対象書類名】明細書
【補正対象項目名】００２１
【補正方法】変更
【補正の内容】
【００２１】
図４を参照する。図４は、プラスチック片材の成形製法により形成された本考案の筐体１と蓋体２とを組合せたときの部分断面図である。蓋体２は、筐体頂面２４及び側壁面２５を含む。筐体頂面２４は、プラスチック片材の最初の接触面が延びて接続した周囲の側壁面２０２により構成されたＵ字状係合槽２３を有し、筐体１の収容空間を増大させる。ここで最も重要なことは蓋体２の硬度を高めて積層したときに重量によって変形することを防ぐことであり、側壁面２５を延ばして折り曲げて形成した第２のリップ部２２が完全に対応し、筐体１の第１のリップ部１２を覆い、２層の組み合わせにより硬度を高め、押圧されたときに変形することを防ぐ。筐体１は、筐体１を押圧成形して離型した後、プレス成形方式によりタブ１３が成形される特色を有する。タブ１３は、タブ折り曲げ部１３４を介して第１のリップ部１２に接続され、折り曲げ可能である。屈曲係合部１３２の凸頂面１３５は、最初の接触面が延びて折り曲げ面に形成されて強度が強いため、Ｕ字状係合槽２３内に容易に押し入れることができる上、変形し難い。
【手続補正６】
【補正対象書類名】明細書
【補正対象項目名】００２９
【補正方法】変更
【補正の内容】
【００２９】
最後に図１４のＡを参照する。図１４のＡに示すように、筐体１の第１のリップ部１２と蓋体２の第２のリップ部２２とを重ねると、本実施形態の組立構造を組合せて強固に結合されるため、ブリスターパックがひっくり返っても中に収容された食材などの液体物が漏れ出ることを防ぐことができる。また、図１４のＢに示すように、本実施形態のブリスターパックを実際に使用する際、ブリスターパックがひっくり返って、筐体１及び蓋体２の上下が逆さまになり、筐体１が蓋体２となり、蓋体２が筐体１となっても強固に結合される。
【手続補正７】
【補正対象書類名】明細書
【補正対象項目名】００３１
【補正方法】変更
【補正の内容】
【００３１】
１  筐体
２  蓋体
３  プラスチック片材
４  合体金型
１１  収容空間
１２  第１のリップ部
１３  タブ
２１  収容空間
２２  第２のリップ部
２３  Ｕ字状係合槽
２４  筐体頂面
２５  側壁面
１３１  タブ延伸面
１３２  屈曲係合部
１３３  押圧部
１３４  タブ折り曲げ部
１３５  凸頂面
２０２  側壁面
２３１  受力補強部
２３２  滑り止め面
Ｄ１  直径寸法
Ｄ２  窪み寸法
Ｔ  押込み点